(57)【要約】【課題】結露水によって誤動作や故障を起こさない信頼性の高い冷蔵庫及び操作表示装置を提供する。【解決手段】扉前面に凹部を形成するように設けた基板収納部と、基板収納部に設置した操作表示部とを備え、操作表示部は化粧板２４、操作部用基板１９、基板保持部１８からなり、化粧板２４にはその内面に左右方向に傾斜させたフランジ形状の水切り部２８を設けるとともに端部に水落下通路２９を設け、前記水切り部に対向する基板保持部１８には凹部３０を設け、フランジ上面と凹部の間（Ｐ）は水の表面張力により水が球状となる距離（Ｓ）以下とするとともに、フランジ最突部と凹部の間（Ｑ）は前記フランジ上面と凹部の間（Ｐ）以上とした構成としてある。これにより、化粧板の内面に発生した結露水から基板を保護でき、誤動作や故障を未然に防止して信頼性を高めることができる。【選択図】図１１
2014031978.tif 000002
【特許請求の範囲】
【請求項１】
冷蔵庫本体に設けられた貯蔵室と、前記貯蔵室の前面開口を開閉する扉と、前記扉内に充填された発泡断熱材と、前記扉の前面に操作表示部と、前記操作表示部を収納する前記扉の前面から前記発泡断熱材側に凹部を形成するように設けられた基板収納部とを備え、前記操作表示部は化粧板、化粧板の内面に近接配置した基板、基板保持部からなり、前記化粧板にはその内面に左右方向に傾斜させたフランジ形状の水切り部を設けるとともに端部に水落下通路を設け、前記水切り部に対向する基板保持部には凹部を設け、水切り部のフランジ上面と凹部の間（Ｐ）は水の表面張力により水が球状となる距離（Ｓ）以下とするとともに、フランジ最突部と凹部の間（Ｑ）は前記フランジ上面と凹部の間（Ｐ）以上としたことを特徴とする冷蔵庫。
【請求項２】
水切り部のフランジ最突部と凹部の間（Ｑ）は水の表面張力により水が球状となる距離（Ｓ）以上としたことを特徴とする請求項１記載の冷蔵庫。
【請求項３】
水切り部のフランジ下面と凹部の間（Ｒ）はフランジ上面と凹部の間（Ｐ）以上としたことを特徴とする請求項１または２記載の冷蔵庫。
【請求項４】
水切り部のフランジ下面と凹部の間（Ｒ）は水の表面張力により水が球状となる距離（Ｓ）以上としたことを特徴とする請求項３に記載の冷蔵庫。
【請求項５】
水切り部を複数設置したことを特徴とする請求項１〜４のいずれか１項記載の冷蔵庫。
【請求項６】
基板の上方にはＬＥＤ発光体等の表示部、下方には静電タッチセンサ等の操作部を配置して、水切り部は前記操作部より上方に設けたことを特徴とする請求項１〜５のいずれか１項記載の冷蔵庫。
【請求項７】
表記を施した化粧板、化粧板の内面に近接配置した基板、基板保持部からなり、前記化粧板にはその内面に左右方向に傾斜させたフランジ形状の水切り部を設けるとともに端部に水落下通路を設け、前記水切り部に対向する基板保持部には凹部を設け、水切り部のフランジ上面と凹部の間（Ｐ）は水の表面張力により水が球状となる距離（Ｓ）以下とするとともに、フランジ最突部と凹部の間（Ｑ）は前記フランジ上面と凹部の間（Ｐ）以上としたことを特徴とする操作表示装置。
【発明の詳細な説明】
【技術分野】
【０００１】
本発明は冷蔵庫及び操作表示装置に関するものである。
【背景技術】
【０００２】
一般に冷蔵庫の中には、扉正面に操作表示装置を設け、この操作表示装置の操作部を操作して例えば庫内設定温度を高中低のいずれかに切り替えることができるようにしたものが見られる。そしてこのような冷蔵庫の操作部には静電タッチスイッチが用いられていることが多く、操作部表面の汚れを一拭きで掃除できるように配慮してある（例えば、特許文献１参照）。
【０００３】
図１５は上記特許文献１の操作表示部を示し、扉正面板となるガラス板１０１の背面に表示部１０２とタッチ検出部１０３を備え、更に前記表示部１０２の背面にＬＥＤ発光部１０４を設け、これらタッチ検出部１０３とＬＥＤ発光部１０４を設けた基板１０５を基板ケース１０６で保持して構成してある。
【先行技術文献】
【特許文献】
【０００４】
【特許文献１】特開２０１１−５８７８７号公報
【発明の概要】
【発明が解決しようとする課題】
【０００５】
上記従来の構成によれば、ガラス板１０１に設けた操作部１０７にタッチすることによって、その背面に設けたタッチ検出部１０３がこれを検出して例えば庫内設定温度を変更するとともに、その変更内容をＬＥＤ発光部１０４の発光によって表示部１０２を介して知ることができる。そして、上記表示部１０２はもちろん操作部１０７もガラス板１０１の平坦面となっているため、これらが汚れたとしてもその汚れを一拭きできれいに掃除できる利点がある。
【０００６】
しかしながら、このようなタッチ検出部１０３を用いたものは、タッチ検出部１０３の感度を向上させるため、当該タッチ検出部１０３を操作部１０７となるガラス板１０１の内面に接触若しくは近接配置してあるため、操作部１０７内面に生じる結露水によって誤動作や故障を引き起こす恐れがある。
【０００７】
すなわち、冷蔵庫は操作部１０７が設けてある扉の内外温度差が大きく、この扉に設けた操作部１０７の内面に微小の結露が生じることがある。この結露水は時間の経過とともに蒸散することが多いが、条件によっては成長して操作部内面を流下し、前記タッチ検出部１０３に到達して誤動作や故障等を引き起こすのであった。
【０００８】
特に操作部が横方向に設けられている場合は結露水が流下するほどに成長する可能性が少ないので、その影響を受けにくいが、上下方向に設けた場合には操作部１０７の上部で発生した結露水が次第に集まって成長し、これが流下してタッチ検出部１０３に到達し、誤動作や故障を引き起こす可能性がある。
【０００９】
この誤動作や故障は、タッチ検出部を持たない操作部であっても基板を操作部内面に近接配置するような場合、例えば特許文献１に記載されたＬＥＤ方式の表示部だけのようなものであっても発生する可能性がある。
【００１０】
本発明はこのような点に鑑みてなしたもので、結露水の成長流下があっても誤動作や故障を起こさない信頼性の高い冷蔵庫及び操作表示装置を提供するものである。
【課題を解決するための手段】
【００１１】
本発明は上記目的を達成するため、冷蔵庫は、冷蔵庫本体に設けられた貯蔵室と、前記貯蔵室の前面開口を開閉する扉と、前記扉内に充填された発泡断熱材と、前記扉の前面に操作表示部と、前記操作表示部を収納する前記扉の前面から前記発泡断熱材側に凹部を形成するように設けられた基板収納部とを備え、前記操作表示部は化粧板、化粧板の内面に近接配置した基板、基板保持部からなり、前記化粧板にはその内面に左右方向に傾斜させたフランジ形状の水切り部を設けるとともに端部に水落下通路を設け、前記水切り部に対向する基板保持部には凹部を設け、水切り部のフランジ上面と凹部の間（Ｐ）は水の表面張力により水が球状となる距離（Ｓ）以下とするとともに、フランジ最突部と凹部の間（Ｑ）は前記フランジ上面と凹部の間（Ｐ）以上とした構成としてある。
【００１２】
また、操作表示装置は、表記を施した化粧板、化粧板の内面に近接配置した基板、基板保持部からなり、前記化粧板にはその内面に左右方向に傾斜させたフランジ形状の水切り部を設けるとともに端部に水落下通路を設け、前記水切り部に対向する基板保持部には凹部を設け、水切り部のフランジ上面と凹部の間（Ｐ）は水の表面張力により水が球状となる距離（Ｓ）以下とするとともに、フランジ最突部と凹部の間（Ｑ）は前記フランジ上面と凹部の間（Ｐ）以上とした構成としてある。
【００１３】
これにより、化粧板の内面に発生し成長した結露水が流下してもその結露水はフランジ形状の水切り部に受け止められ、その傾斜に沿って水切り部端部の水落下通路へと確実に流動し、排水されるため、基板保持部に取り付けた基板に影響を与えることを防止できる。よって、基板や当該基板に搭載される例えば静電タッチセンサやＬＥＤ発光体等が誤動作したり故障するのを未然に防止することができ、信頼性を高めることができる。
【発明の効果】
【００１４】
本発明は、結露水によって生じやすい誤動作や故障を確実に防止することができ、信頼性の高い冷蔵庫及び操作表示装置とすることができる。
【図面の簡単な説明】
【００１５】
【図１】本発明の実施の形態１における冷蔵庫の外観正面図
【図２】同冷蔵庫の扉の操作表示部を分解して示す斜視図
【図３】同冷蔵庫の扉の図２とは反対側から見た斜視図
【図４】同冷蔵庫の扉の操作表示部の断面図
【図５】同冷蔵庫の操作表示部の図３におけるＢ部分の分解斜視図
【図６】同冷蔵庫の操作表示部の図５の拡大分解斜視図
【図７】同冷蔵庫の操作表示部の図３におけるＡ部分の分解斜視図
【図８】同冷蔵庫の操作表示部の静電タッチセンサ部分を示す拡大断面図
【図９】同冷蔵庫の操作表示部の図８におけるＤ−Ｄ断面図
【図１０】同冷蔵庫における基板保持部に取り付けた基板の静電タッチセンサ部分を示す拡大正面図
【図１１】同冷蔵庫の操作表示部の水切り構成を示す正面図
【図１２】同冷蔵庫の操作表示部における化粧板の水切り構成部分を示す正面図
【図１３】同冷蔵庫の操作表示部の水切り構成を示す図１１のＥ−Ｅ断面図で、本発明品の場合の水切り状態を示す説明図
【図１４】同冷蔵庫の操作表示部の水切り構成を示す図１１のＥ−Ｅ断面図で、本発明品以外の場合の水切り状態を示す説明図
【図１５】同冷蔵庫の操作表示部における化粧板の操作部部分を示す断面図
【図１６】同蔵庫の操作表示部における化粧板の操作部部分を示す図１５のＦ−Ｆ断面図
【図１７】同冷蔵庫の操作表示部におけるＬＥＤ発光体と導光板との関係を示す説明図
【図１８】同冷蔵庫の操作表示部における導光板の断面図
【図１９】従来の冷蔵庫における操作表示部の断面図
【発明を実施するための形態】
【００１６】
第１の発明は、冷蔵庫本体に設けられた貯蔵室と、前記貯蔵室の前面開口を開閉する扉と、前記扉内に充填された発泡断熱材と、前記扉の前面に操作表示部と、前記操作表示部を収納する前記扉の前面から前記発泡断熱材側に凹部を形成するように設けられた基板収納部とを備え、前記操作表示部は化粧板、化粧板の内面に近接配置した基板、基板保持部からなり、前記化粧板にはその内面に左右方向に傾斜させたフランジ形状の水切り部を設けるとともに端部に水落下通路を設け、前記水切り部に対向する基板保持部には凹部を設け、水切り部のフランジ上面と凹部の間（Ｐ）は水の表面張力により水が球状となる距離（Ｓ）以下とするとともに、フランジ最突部と凹部の間（Ｑ）は前記フランジ上面と凹部の間（Ｐ）以上とした構成としてある。
【００１７】
これにより、化粧板の内面に発生し成長した結露水が流下してもその結露水はフランジ形状の水切り部に受け止められ、その傾斜に沿って水切り部端部の水落下通路へと流動し、排水されるため、基板保持部に取り付けた基板に影響を与えることを防止できる。よって、基板や当該基板に搭載される例えば静電タッチセンサやＬＥＤ発光体等が誤動作したり故障するのを未然に防止することができ、信頼性を高めることができる。
【００１８】
第２の発明は、第１の発明において、水切り部のフランジ最突部と凹部の間（Ｑ）は水の表面張力により水が球状となる距離（Ｓ）以上とした構成としてある。
【００１９】
これにより、水切り部に受け止められた水が球状となってフランジ最突部を乗り越えて下方の基板へと落下するのを確実に防止することができる。
【００２０】
第３の発明は、第１または第２の発明において、水切り部のフランジ下面と凹部の間（Ｒ）はフランジ上面と凹部の間（Ｐ）以上とした構成としてある。
【００２１】
これにより、水切り部に受け止められた水は、フランジ下面と凹部の間（Ｒ）で球状になる前にフランジ上面と凹部との間（Ｐ）を親水作用と毛細管現象によって水落下通路へと引き寄せられるように流れていき、外部へと排水することができるから、より確実に誤動作や故障を防止して信頼性を向上させることができる。
【００２２】
第４の発明は、第３の発明において、水切り部のフランジ下面と凹部の間（Ｒ）は水の表面張力により水が球状となる距離（Ｓ）以上とした構成としてある。
【００２３】
これにより、水切り部のフランジ下面と凹部の間（Ｒ）でも水が球状になることができないので、水切り部のフランジ上面に受け止められた水がフランジ最突部を乗り越えて下方の基板へと落下するのを確実に防止することができる。
【００２４】
第５の発明は、第１〜第４の発明において、水切り部を複数設置した構成としてある。
【００２５】
これにより、結露水に加え外部から水が侵入するようなことがあってその量が増えても確実にこの水を排水して誤動作や故障を防止することができ、更に信頼性を向上させることができる。
【００２６】
第６の発明は、第１〜第５の発明において、基板の上方にはＬＥＤ等の表示部、下方には静電タッチセンサ等の操作部を配置して、水切り部は前記操作部より上方に設けた構成としてある。
【００２７】
これにより、水に対して弱い静電タッチセンサを確実に保護することができ、静電タッチセンサを用いた掃除性や操作性の良さを生かしつつ信頼性の高いものとすることができる。
【００２８】
第７の発明は、表記を施した化粧板、化粧板の内面に近接配置した基板、基板保持部からなり、前記化粧板にはその内面に左右方向に傾斜させたフランジ形状の水切り部を設けるとともに端部に水落下通路を設け、前記水切り部に対向する基板保持部には凹部を設け、水切り部のフランジ上面と凹部の間（Ｐ）は水の表面張力により水が球状となる距離（Ｓ）以下とするとともに、フランジ最突部と凹部の間（Ｑ）は前記フランジ上面と凹部の間（Ｐ）以上とした構成としてある。
【００２９】
これにより、第１の発明と同様、誤動作や故障を防止して信頼性の高いものとすることができる。
【００３０】
以下、本発明の実施の形態について、図面を参照しながら説明する。なお、この実施の形態によって本発明が限定されるものではない。
【００３１】
（実施の形態１）
図１は本発明の実施の形態１における冷蔵庫の外観正面図、図２は同冷蔵庫の扉の操作表示部を分解して示す斜視図、図３は同冷蔵庫の扉の図２とは反対側から見た斜視図、図４は同冷蔵庫の扉の操作表示部の断面図、図５は図３におけるＢ部分の分解斜視図、図６は図５の拡大分解斜視図、図７は図３におけるＡ部分の分解斜視図、図８は同冷蔵庫の操作表示部の静電タッチセンサ部分を示す拡大断面図、図９は図８におけるＤ−Ｄ断面図、図１０は同冷蔵庫における基板保持部に取り付けた基板の静電タッチセンサ部分を示す拡大正面図、図１１は同冷蔵庫の操作表示部の水切り構成を示す正面図、図１２は同冷蔵庫の操作表示部における化粧板の水切り構成部分を示す正面図、図１３は図１１のＥ−Ｅ断面図で、本発明品の場合の水切り状態を示す説明図、図１４は図１１のＥ−Ｅ断面図で、本発明品以外の場合の水切り状態を示す説明図、図１５は同冷蔵庫の操作表示部における化粧板の操作部部分を示す断面図、図１６は図１５のＦ−Ｆ断面図、図１７は同冷蔵庫の操作表示部におけるＬＥＤ発光体と導光板との関係を示す説明図、図１８は同冷蔵庫の操作表示部における導光板の断面図である。
【００３２】
図１において、冷蔵庫本体１は、前方に開口する金属製の外箱と硬質樹脂製の内箱との間にウレタン等を充填発泡して形成してある。上記冷蔵庫本体１はその内部に貯蔵室５〜９が設けてある。この貯蔵室５〜９は、上部から、冷蔵室５、冷蔵室５の下に位置する切替室６及び切替室６に並設した製氷室７、切替室６及び製氷室７の下部に位置する冷凍室８、冷凍室８の下部に位置する野菜室９となっている。また、前記冷蔵室５の前面は、例えば観音開き式の扉１０，１０により開閉自由に閉塞し、切替室６及び製氷室７と冷凍室８と野菜室９の前面部は引き出し式の扉１１，１２，１３，１４によって開閉自由に閉塞してあり、いずれの扉１０〜１４も冷蔵庫本体１と同様硬質ウレタン等を充填発泡させた発泡断熱材１５（図４参照）を有した断熱扉となっている。
【００３３】
ここで、上記各扉１０〜１４のうち、観音開き式扉の右側扉１０には操作表示部１６が設けてあり、以下その構成を説明する。
【００３４】
図２〜図１８において、１７は前記扉１０の前面に当該扉１０の前面から前記発泡断熱材１５側に凹部を形成するように設けた基板収納部で、扉１０の長辺端部の上下に亘って設けてある。１８は上記前記基板収納部１７に設置した基板保持部で、図５、図６、図８等から明らかなように前面側に操作部用基板１９が、反対側面には表示部用基板２０が取り付けてある。
【００３５】
上記操作部用基板１９には静電タッチセンサ２１が組み込んである。この実施の形態では冷却能力のアップ及びダウン用及びメニュー決定用の三つの静電タッチセンサ２１が組み込んである。
【００３６】
２２は上記各静電タッチセンサ２１に重合させて設けた導光板で、前記静電タッチセンサ２１の一片、この実施の形態では上辺と対向する如く操作部用基板１９に取り付けたＬＥＤ発光体２３からの光を受けて光り輝くように構成してある。すなわち、各静電タッチセンサ２１がタッチ操作を検出すると、その静電タッチセンサ２１に対応したＬＥＤ発光体２３が通電され、その光によって導光板２２が光り輝くようになっている。この光り輝く効果を高めるために前記導光板２２は、図１７、図１８に示すようにＬＥＤ発光体２３と対向する一片には曲率の異なる円弧状凹部２２ａを、また後述する化粧板側面にはシボ加工２２ｂを施すとともに外周辺部分には傾斜面２２ｃが形成してある。
【００３７】
２４は前記基板保持部１８及び操作部用基板１９の前面を覆う如く前記基板収納部１７に取り付けた化粧板で、前記静電タッチセンサ２１及びこれに重合配置した導光板２２と対向する部分には例えば「∧」「∨」「メニュー決定」等を表記した操作部２５が形成してあり、その上方には例えば「パワー」「強」「中」「弱」「チルド」等を表記した表示部２６が形成してある。そして、上記表示部２６と対向する前記表示部用基板２０には表示用ＬＥＤ発光体２７が前記化粧板２４の表示部２６の表記と対向するように上下方向に複数設けてある。
【００３８】
また、前記化粧板２４の操作部２５の内面部分、すなわち前記上下の静電タッチセンサ２１の導光板２２と対向する内面部分には、図７、図１２に示すように導光板設置用凹所２４ａが形成してあり、その導光板設置用凹所２４ａの外周辺部分には前記導光板２２の傾斜面２２ｃと対応させて傾斜させることで導光板２２を隙間無く設置できるようにするとともに急激な板厚変化による化粧板２４のヒケ防止を図っている。
【００３９】
ここで、前記化粧板２４は、図１１〜図１４に示すように、その前記操作部用基板１９より上方の内面に左右方向に傾斜させたフランジ形状の水切り部２８を設けるとともに端部に水落下通路２９が設けてある。また、前記化粧板２４の水切り部２８に対向する基板保持部１８には凹部３０（図５、図１３、図１４参照）を設け、水切り部２８のフランジ上面と凹部３０の間（Ｐ（Ｐ１＜Ｐ＜Ｐ２））は水の表面張力により水が球状となる距離（Ｓ）以下としてある。また、上記水切り部２８のフランジ最突部と凹部３０の間（Ｑ）は前記フランジ上面と凹部の間（Ｐ）以上、好ましくは水の表面張力により水が球状となる距離（Ｓ）以上としてある。同様に、前記水切り部２８のフランジ下面と凹部３０の間（Ｒ）も前記フランジ上面と凹部の間（Ｐ）以上、好ましくは水の表面張力により水が球状となる距離（Ｓ）以上としてある。そして、前記水落下通路２９は操作部用基板１９の側部をバイパスして操作部下端より外部に水を落下排水させるように構成してある。
【００４０】
また、この実施の形態では、前記操作部用の基板保持部１８には図６、図８等に示すように弾性力を有する基板押さえ部３１が一体形成してあり、前記操作部用基板１９を化粧板２４側に附勢して操作部用基板１９上の各静電タッチセンサ２１及びこれに重合設置した導光板２２を操作部２５に押し付けるように構成してある。特にこの実施の形態では、前記基板押さえ部３１は各静電タッチセンサ２１に対応させてそれぞれ設けることにより
、各静電タッチセンサ２１を個々に化粧板２４の操作部２５に押し付けるようにしてある。
【００４１】
また、前記基板保持部１８には図６、図８、図１０等に示すように操作部用基板１９の上下端部と対応する部分に基板離脱防止ストッパー３２が形成してあり、この基板離脱防止ストッパー３２に操作部用基板１９の上下両端部をはめ込むことによって基板押さえ部３１の弾発力によって操作部用基板１９が基板保持部１８から離脱するのを防止している。そして、基板離脱防止ストッパー３２の厚みは導光板２２の厚みより薄い寸法としてあるので、導光板２２と基板離脱防止ストッパー３２に対応する導光板設置用凹所２４ａの深さを同一とでき、段差の無い面としてある。
【００４２】
上記構成において、この冷蔵庫の操作表示部１６は、化粧板２４の内面に結露水が発生しそれが集まって成長し流下しても、その結露水はフランジ形状の水切り部２８に受け止められ、その傾斜に沿って水切り部２８端部の水落下通路２９へと確実に流動し、排水される。
【００４３】
すなわち、図１３に示すように、水切り部２８のフランジ上面で受け止められた水は、当該フランジ上面と基板保持部１８の凹部３０との間（Ｐ）が水の表面張力により水が球状となる距離（Ｓ）以下となっているとともに、フランジ最突部と凹部３０の間（Ｑ）は前記フランジ上面と凹部の間（Ｐ）以上となっているから、フランジ上面と凹部３０の内上面との間（Ｐ）で水の親水作用と毛細管作用が働いて、粒状になることなく幕状になって水落下通路２９へと引き寄せられるように流れ、水落下通路２９を介して外部へ排水される。
【００４４】
特にこの実施の形態では上記フランジ最突部と凹部３０の間（Ｑ）は水の表面張力により水が球状となる距離（Ｓ）以上とした構成としてあるから、水切り部２８のフランジ上面で受け止められた水は前記親水作用と毛細管作用が水の表面張力に勝って水が球状になってフランジ最突部を乗り越え落下するのを確実に防止することができ、水落下通路２９を介して外確実に部へ排水することができる。
【００４５】
ここで、図１４に示すようにフランジ上面と基板保持部１８の凹部３０との間（Ｐ）が水の表面張力により水が球状となる距離（Ｓ）以上となっていて、更にフランジ最突部と凹部３０の間（Ｑ）が水の表面張力により水が球状となる距離（Ｓ）以上の場合、水切り部２８のフランジ上面で受け止められた水はフランジ上面と凹部３０の内上面との間（Ｐ）で水滴となってフランジ最突部を乗り越え、その下方の静電タッチセンサ２１が設置されている操作部用基板１９部分へと落下する恐れがあるが、前記した構成によればそのようなことは確実に防止できる。よって、操作部用基板１９や当該基板１９に搭載されている静電タッチセンサ２１等が誤動作したり故障するのを未然に防止することができ、信頼性を高めることができる。
【００４６】
また、水切り部２８のフランジ下面と凹部３０の間（Ｒ）も、フランジ上面と凹部の間（Ｐ）以上、この実施の形態では水の表面張力により水が球状となる距離（Ｓ）以上としてあるから、この部分でも水が球状になることが阻止される。したがって、水切り部２８で受け止められた水は、前記した如く水切り部２８のフランジ上面と凹部３０との間（Ｐ）で確実に層状となり、親水作用と毛細管現象によって水落下通路２９へと引き寄せられるように流れて、外部へと排水させることができる。よって、より確実に誤動作や故障を防止して信頼性を向上させることができる。
【００４７】
実験によると、基板保持部１８及び化粧板２４がＡＢＳ樹脂で、水切り部２８のフランジ上面と凹部３０の間（Ｐ（Ｐ１＜Ｐ＜Ｐ２））は０．５ｍｍ以上（Ｐ１が０．５ｍｍ、
Ｐ２が２．３ｍｍ）、水切り部２８のフランジ最突部と凹部３０の間（Ｑ）は５ｍｍ以上、水切り部２８のフランジ下面と凹部３０の間（Ｒ）は５ｍｍ以上にするのが好ましかった。そして、上記水切り部２８は複数設けるとより確実性が増し、効果的であった。特に、結露水に加え外部から水が侵入するようなことがあってその量が増えても確実にこの水を排水することができ、効果的であった。
【００４８】
また、上記水切り部２８は操作部２５、すなわち操作部用基板１９より上方に設けてあるから、操作部２５より上方の化粧板２４内面で結露集積した結露水から確実に静電タッチセンサ２１を保護することができ、静電タッチセンサ２１を用いた掃除性や操作性の良さを生かしつつ信頼性の高いものとすることができる。
【００４９】
なお、この実施利形態では、静電タッチセンサ２１が基板押さえ部３１によって常に化粧板２４の操作部２５側に押し付けられているので、静電タッチセンサ２１、導光板２２、化粧板２４の操作部２５の間は隙間無く常に密接することになる。よって静電タッチセンサ２１は化粧板２４の操作部２５をタッチ操作されると、導光板２２を介してこれを感度良く検出し、入力ミスの恐れは激減若しくは大幅に低減する。
【００５０】
特にこの実施の形態では上記基板押さえ部３１は各静電タッチセンサ２１に対応させてそれぞれに設けてあるから、各静電タッチセンサ２１を効率よく化粧板２４の操作部２５側に押し付けることができ、入力ミスの発生をより確実に防止することができる。
【００５１】
また、上記静電タッチセンサ２１を設けた操作部用基板１９は基板離脱防止ストッパー３２によって基板保持部１８に保持されているので、静電タッチセンサ２１を設けた操作部用基板１９と基板保持部１８とは基板押さえ部３１の弾発力に抗してユニット化することができ、操作表示部の組み立て過程において、静電タッチセンサ２１を設けた操作部用基板１９と基板保持部１８がバラバラになって組み立て性が低下するのを防止でき、生産性を向上することができる。
【００５２】
また、この実施の形態では化粧板２４の操作部２５と静電タッチセンサ２１との間に導光板２２を介在させて、使用者が操作部２５にタッチすると、ＬＥＤ発光体２３が発光して導光板２２が光り輝き、操作部２５に表記した表示を視認しやすくなる。したがって、前記化粧板２４にスモークをかけて通常は操作部２５の表記を見えにくくして意匠性を向上させることができるとともに、子供が操作部を視認して引き起こすいたずら等も防止することができる。しかも、このように意匠性を向上させ、いたずら防止を図るべく化粧板２４にスモークを施していても、一度操作部２５にタッチすればその表示が見えるようになるので操作性も良好なものとすることができる。
【００５３】
特に上記導光板２２はその一片に円弧状凹部２２ａを設けて指向性の強いＬＥＤ発光体２３からの光を導光板２２全域に分散させ、かつ、外周辺部に設けた傾斜面２２ｃによってＬＥＤ発光体２３からの光を導光板２２内に屈折させて外部に漏れるのを低減するとともに、シボ加工によって操作部２５と対向する面で光を乱反射させることによって、その明るさを明るく均一化することができる。よって、ＬＥＤ発光体２３を導光板２２の一片側に設置して当該一片側から照射するようにしていても十分な明るさで操作部２５の表記を見やすくすることができる。
【００５４】
また、上記したようにＬＥＤ発光体２３を導光板２２の一片側に設置したことにより、これらＬＥＤ発光体２３と導光板２２を重合配置する場合に比べるとその奥行き方向の寸法を少なくすることができ、その分扉の発泡断熱材１５の厚みを厚くすることができる。特にＬＥＤ発光体２３は上記した如く光の指向性が強いため導光板２２に重合配置した場合、当該導光板２２の平面全域を明るくするためにはある程度導光板２２との間の距離が
必要となり、その分発泡断熱材１５の厚みが薄くなってしまうため効果的である。この発泡断熱材１５の厚みを厚くできることによって断熱効果を高めることができ、その分省エネが促進できる。特にこの実施の形態のように操作表示部１６を扉端縁部に設けたものにあっては当該扉端縁部が扉全体の中でも最も温度上昇しやすい場所であることから発泡断熱材１５を厚くできることは効果的である。
【００５５】
なお、本発明は冷蔵庫に適用した操作表示装置を例にして説明したが、この操作表示装置は冷蔵庫に限らず各種の機器に適用できるものであり、その場合、上記実施の形態で説明した操作表示装置は機器本体や本実施の形態と同様扉或いはリモコン等、種々のものに設けることができる。
【産業上の利用可能性】
【００５６】
以上のように本発明は、結露水によって生じやすい操作部の誤動作や故障を確実に防止することができるから、信頼性の高い冷蔵庫及び操作表示装置とすることができ、一般用はもちろん業務用の冷蔵庫および家電機器や事務機器、電子機器等多くの機器に幅広く適用できる。
【符号の説明】
【００５７】
１  冷蔵庫本体
５  冷蔵室（貯蔵室）
６  切替室
７  製氷室
８  冷凍室
９  野菜室
１０，１１，１２，１３，１４  扉
１５  発泡断熱材
１６  操作表示部
１７  基板収納部
１８  基板保持部
１９  操作部用基板
２０  表示部用基板
２１  静電タッチセンサ
２２  導光板
２２ａ  円弧状凹部
２２ｂ  シボ加工
２２ｃ  傾斜面
２３  ＬＥＤ発光体
２４  化粧板
２４ａ  導光板設置用凹所
２５  操作部
２６  表示部
２７  表示用ＬＥＤ発光体
２８  水切り部
２９  水落下通路
３０  凹部
３１  基板押さえ部
３２  基板離脱防止ストッパー
【図１】
2014031978.tif 000003
【図２】
2014031978.tif 000004
【図３】
2014031978.tif 000005
【図４】
2014031978.tif 000006
【図５】
2014031978.tif 000007
【図６】
2014031978.tif 000008
【図７】
2014031978.tif 000009
【図８】
2014031978.tif 000010
【図９】
2014031978.tif 000011
【図１０】
2014031978.tif 000012
【図１１】
2014031978.tif 000013
【図１２】
2014031978.tif 000014
【図１３】
2014031978.tif 000015
【図１４】
2014031978.tif 000016
【図１５】
2014031978.tif 000017
【図１６】
2014031978.tif 000018
【図１７】
2014031978.tif 000019
【図１８】
2014031978.tif 000020
【図１９】
2014031978.tif 000021